(57)【要約】【課題】従来、錠剤またはカプセル剤はＰＴＰ包装によるもので、このＰＴＰ包装体から薬剤を取り出すには、樹脂シートの隆起部を指先で押圧して、内部の薬剤で裏面のアルミニュウム箔を突き破って出している。しかし、高齢あるいは障害等によって指先が不自由な場合には、錠剤を取り出すことが困難な上に、床等に落としてしまうと、紛失することも稀なことではない。  これまでに錠剤・カプセル剤を問わず、あらゆるタイプのＰＴＰ包装体に適応し、且つ片手のまま目を閉じていても、数種類の薬剤を即座に纏めて手の平に移せるものは無かった。【解決手段】  取り出し口２を形成するケ−ス体１は落し口４を有する上盤３を備え、該上盤３との間に適宜範囲の隙間２３を確保して案内具２１を設け、下端が落し口４あたりに到達する押し具１１を備える可動体１５を設けた薬剤取り出し具である。【選択図】図２
2014171847.tif 000002
【特許請求の範囲】
【請求項１】
基盤にＰＴＰ包装体を置き、押し具によって錠剤を押し出す錠剤取り出し具において、取り出し口を形成するケ−ス体は落し口を有する上盤を備え、該上盤との間に適宜範囲の隙間を確保して案内具を設け、下端が落し口あたりに到達する押し具を備える可動体を設けたことを特徴とする薬剤取り出し具である。
【請求項２】
押し具若しくは押し具を構成する部材に更なる押し具を可動可能に備えた請求項１に記載の薬剤取り出し具。
【請求項３】
押し具の前面若しくは前面と後面を斜辺部とする請求項１又は請求項２に記載の薬剤取り出し具。
【請求項４】
ケース体に基盤を形成するか、若しくは基盤をケース体と別体に備えた請求項１に記載の薬剤取り出し具。
【発明の詳細な説明】
【技術分野】
【０００１】  この発明は、隆起部を形成した透明の樹脂シートとアルミニュウム箔によって成された中空部に薬剤を封入したＰＴＰ包装において、封入した薬剤を高齢者や障害者であっても極めて容易に取り出すことができる薬剤取り出し具に関する。
【背景技術】
【０００２】  従来、錠剤又はカプセル剤の包装は、殆どのものが薬剤の大きさと形に沿う隆起部を設けた樹脂シートとアルミニュウム箔によるＰＴＰ包装であって、このＰＴＰ包装体から薬剤を取り出すには、樹脂シートの隆起部を指先で押圧し、内部の薬剤で裏面のアルミニュウム箔を突き破って取り出している。
また、他に指先での押圧に代えて、錠剤の取り出し具に係わる出願もなされている。
【先行技術文献】
【特許文献】
【０００３】
【特許文献１】  特許公開２００２−１４３２７４
【０００４】
【特許文献２】  特許公開２００３−２５２３１６
【発明の開示】
【発明が解決しようとする課題】
【０００５】  文献１の錠剤取出器の構成による使用方法は、先ず錠剤取出器本体を片手に持ち、もう片方の手でＰＴＰ包装体の錠剤部を定位置にセットするのであるが、この定位置自体が正確さを求められるのに対して、位置を決める方法が視覚に頼るか、指先で位置を探る方法の他には何の指示も無いので、手・指・視覚等に障害があるとＰＴＰ包装体を定位置にセットすることが甚だ困難であり、まして怪我や障害によって片手しか使えない状況下にあっては錠剤取出具器を使用する事すらできない。また錠剤押さえ枠についてもＰＴＰ包装体を下から当てがうので、極めて扱いづらく、また薬剤の収納容器がねじ込み式になっているために、容器内の薬剤は取り出しにくい。
また別の実施例によると構成が複雑な上に、強さの異なるバネが２ヵ所に組み込まれていて、部品点数が多く製造コストが嵩む。【０００６】  文献２の錠剤取出具の構成は、ケース内の定められた位置にＰＴＰ包装体をセットした状態で押ぐちを押すと、ラチェット構造によるドラムの回転が、ＰＴＰ包装体を少しずつ前進させる。この時ドラムがＰＴＰ包装体の隆起部を押し潰すので、中の錠剤を下方に押し出す。しかしこの構成によるとドラムを逆回転させる構成は無く、錠剤の全てを出し切らないとＰＴＰ包装体を取り出すことができない。
因って、一般的には数種類の錠剤を一度に服用することが極めて多く、このような場合にはＰＴＰ包装体の入れ替えができないので、錠剤の種類に応じて複数の錠剤取出具を用意する必要がある。
更に、ＰＴＰ包装体自体に全体の幅と隆起部の大きさ・数・間隔に決まりはなく、おびただしい種類のＰＴＰ包装体があるのに対し、この文献はケースの内幅が決められているので一般には使用できない。【０００７】  上記文献の他にも文献１と似た構成のものは出願されているが、どの出願を見てもＰＴＰ包装体を差し込むための空間を得るためにバネを使用してるので、薬剤が封入された隆起部を潰して錠剤を押し出すために必要な力に加えて、バネを押し下げるための力までが余分に必要になってしまう。
更に、錠剤を押し出す部材の隆起部に接する面が平面としているので、隆起部の頂点付近は押し潰せても、側面部を潰す段階になると、より強い力が必要になってしまう。
上述により、錠剤・カプセル剤を問わず、あらゆるタイプのＰＴＰ包装体に適応し、且つ片手のまま目を閉じていても、数種類の薬剤を即座に纏めて手の平に移せるものは無かった。
【課題を解決するための手段】
【０００８】  本願発明は上述の課題を解決するために次のような構成としている。
取り出し口２を形成するケ−ス体１は落し口４を有する上盤３を備え、該上盤３との間に適宜範囲の隙間２３を確保して案内具２１を設け、下端が落し口４あたりに到達する押し具１１を備える可動体１５を設けた薬剤取り出し具である。
【発明の作用】
【実施例１】
【０００９】  この発明の効果を述べるに当たり、構成と作用を実施例１の図１・図２・図３・図４・図５・図６・図７・図８・図９・図１０に基づいて詳細に説明する。
先ず、図１・図２は実施例１の側面図と断面図であって、筒型のケース体１は一方に開口する取り出し口２と、該取り出し口２から少し後退した下側に段部６を形成し、上の面は片側にテーパー面５を形成する長円形の落し口４を設けた上盤３としていて、その断面形状は図４に示すように落し口４の両外側にえぐり部８を設けている。
次に、定置部２２を形成する案内具２１は、前記上盤３との間に１ミリ程度の隙間２３を確保すると共に、前記定置部２２を前記落し口４の真上に位置させて固着している。
案内具２１の形状は図４・図６に示すように平板状としていて、一対の二股に突き出た先端部は対向する弧型とし、且つ根元の部分はＶ字型に形成するＶ字カット２４としていて、二股の内側を定置部２２としている。そして案内具２１の二股部分の断面形状は図４に示すように、定置部２２側の面は上面より下面を広くしていて、前記ケース体１に開口する落し口４の真上に位置している。
次に、可動体１５は先端側に押し具Ａ１１と押圧部１４を形成し、且つ後端部を前記案内具２１に設けた軸Ａ７の軸着によって回動可能にしている。そして該押し具Ａ１１の断面形状は、図４に示すように、薄型で押圧部Ａ１４の下面中央に位置し、その下端は定置部２２と落し口４を貫いてケ−ス体１の内部に到達している。【００１０】  上記構成の薬剤取り出し具を使用するには、図３に示すように、親指を押圧部１４に当ててケース体１を軽く握るように持ち、次に、図５に示すように、もう片方の手でＰＴＰ包装体３１を押圧部Ａ１４の前方から上盤３の上を隙間２３に向けて滑らし、所要のカプセル剤３５を封入した隆起部３２を定置部２２の中央付近に位置させながら、Ｖ字カット部２４に挟止する所まで挿入する。この時ＰＴＰ包装体３１の端部が、前記押圧部１４に形成する斜辺部１２に突き当たった後も挿入を続けると、斜辺部１２の面がＰＴＰ包装体３１を滑りながら上昇する。そして隆起部３２がＶ字カット部２４で挟止したとき、隆起部３２は定置部２２の中央に位置している。
そこで、錠剤とカプセル剤の大きさと形は様々で、大きいものは約６ミリ×約２０ミリ小さいものは直径５ミリ程度であるが、Ｖ字カットの作用によって隆起部３２の大きさに係わりなく、常に定置部２２の中央に位置させることができる。【００１１】  次に、図７は大きめのカプセル剤３５を押し出す状態を示していて、押圧部Ａ１４を軽く押し下げると、押し具Ａ１１の先端が樹脂シートからなる隆起部３２の頂点から押潰して下降し、封入されたカプセル剤３５がアルミニュウム箔３４を突き破ってケース体１の中に落下した後、ＰＴＰ包装体３１を引き抜けば良い。そして取り出し口２を下方に向けて傾ければ、ケース体１内のカプセル剤３５は転がり出る。  このときカプセル剤３５が落下した後は、樹脂シート３３が下方に向けて張出すのと共に、アルミニューム箔３４も下方に向けて破れ下がるので、この状態のままＰＴＰ包装体３１を引き抜こうとしても、落し口４の淵と押し具Ａ１１が障害となって動かなくなる事もあるが、押し具Ａ１１に斜辺部Ｂ１３と、落し口４にテーパー面５を設けることによって、滑らかな動きが得られ、この障害は解消する。
また、ケース体１を不用意に少し傾けたとしても、段部６によってケース体１内の薬剤が転がり出るのを防止する事ができる。
更に、押し具Ａ１１の先端の厚さを所要の強度が得られる限り薄くしておくと、隆起部３２を押し潰す為の力を最小限に抑えることができる。【００１２】  次に、図８・図９は比較的小さな錠剤３６を押し出す状態を示すもので、図８に示すように、ＰＴＰ包装体３１を定置部２２の奥まで挿入し、そして図９には押し具１１が隆起部３２を押し潰して、錠剤３６をケース体１の中に押し出した状態を示している。
このとき、錠剤が小さいので隆起部３２が並ぶ間隔も其れなりに狭く、押し具Ａ１１を押し下げたときに、縦隣の隆起部３２をも余計に押し潰してしまうことを避ける目的で斜辺部１２を設けている。  また案内具２１の二股部分の幅を狭くすることで、案内具２１が横隣の隆起部３２に接するのを防止できる。
更に、図４に示すえぐり部８は、錠剤を押し出した後に押し潰された樹脂シート３３とアルミニュウム箔３４が隆起部３２の周囲で下側に押し曲げられていて、この押し曲げられた部分が、次の新たな隆起部３２を挿入するとき、上盤３と案内具２１の間で摩擦を生じさせて隙間２３への挿入を妨げる事がある。そこで、この摩擦を回避する目的で成されたもので、このえぐり部８によってＰＴＰ包装体３１の挿入を容易にする事ができる。
また、図４に示す係止具９は、上盤３をケース体１からの着脱を可能にするもので、上盤３を外してケース体１の内部を洗浄する事ができる。
次に、図１０はホルダー４１の平面図であって、基盤４２の適宜箇所にコの字型の受け具４３・４４を対向配置していて、該受け具３３・３４の間隔はケース体１を嵌置したときケース体１の周囲に僅かな隙間確保できる程度とする。
次に、図１１は前記ホルダー４１にケース体１を嵌置した状態を示すの側面図であって基盤４２の下面にゴム等の滑り止め４５を設けていて、該滑り止め４５の内側に金属板等の重りを設けておくと、滑り止めとしての効果は増大する。また、金属板の代わりに磁石または吸着盤を設けることも可能である。
【発明の効果】
【００１３】  本願発明の薬剤取り出し具は上記の構成と作用によって、次に述べる効果がある。
１．錠剤・カプセル剤、更にこれらの大きさや形を問わず、全てのＰＴＰ包装体に対応で  き、封入してある薬剤を取り出すことができる。
２．ＰＴＰ包装体を定置部に挿入したとき、隆起部がＶ字カットの挟止によって正しい位  置にセットされるので、手に障害があっても容易に使用できる。
３．一対の案内部の先端を指先で探れば容易に定置部を確認できるので、視覚に障害があ  っても楽に使用することができる
４．押し具の先端の厚さ薄いので、押す力が先端に集中し、薬剤を弱い力で楽に押し出す  ことができる。
５．ＰＴＰ包装体から押し出された数種類の錠剤をケース体内に溜められるので、取り出  し口を手のひらに向けて持ち、そのまま起こすと、片手でも全ての錠剤類を一度に手の  平に移すことができる。
６．ホルダーを使用すると、ホルダーを卓上に置いたまま片手で容易に操作ができるし、  基盤の裏に磁石を設けると、ブリキの空き箱等に薬剤を保管し、その蓋の表にホルダー  ４１を磁着できるので、日常的に薬剤を服用する場合には極めて都合が良い。
【図面の簡単な説明】
【００１４】
【図１】  本願発明の実施例１の側面図
【図２】  図１の断面図
【図３】  図１の使用状態を示す側面図
【図４】  図１のａ−ａ断面図
【図５】  図１にＰＴＰ包装体をセットした断面図
【図６】  図５の可動体を省いた平面図
【図７】  図１の作用を示す断面図
【図８】  図１にＰＴＰ包装体をセットして可動体を省いた平面図
【図９】  図８の作用を示す断面図
【図１０】  ホルダーの平面図
【図１１】  ホルダーの使用状態を示す側面図
【図１２】  本願発明の実施例２の作用を示す断面図
【図１３】  本願発明の実施例２の作用を示す断面図図
【図１４】  本願発明の実施例４の平面図
【発明を実施するための形態】
【実施例２】
【００１５】  本願発明の実施例２を図１２・図１３に基づいて詳細に説明する。
この実施例の基本とする構成は前述の実施例１と同じであり、異なる点は押し具Ａ１１に更なる押し具Ｂ１６を軸着Ｂ１９によって設けたことであって、この構成による作用は図１２に示すように、カプセル錠３５を封入した隆起部３２を定置部２２に挿入し、押し具Ａ１１を押し下げたとき、カプセル３５がケース１の中に落下しきれない場合も考えられるので、このようなときに押し具Ｂ１６を下げれば、カプセル３５の落下を確実にすることができる。
次に図１３は、前述の図１２ではカプセル錠３５をを使用していたのに対して、本図では錠剤３６を使用していて、図示するように小さな錠剤３６の場合は隆起部３２の間隔が其れなりに狭いので、所要の錠剤３６をケース体１内に落下させるのと同時に、縦隣の隆起部３２をも傷めてしまう事がないように、隆起部３２の掛かる押し具１６を上方に逃がすことで、縦隣の隆起部３２への影響を防止している。
【実施例３】
【００１６】  本願発明の実施例３を図１４に基づいて詳細に説明する。
この実施例も基本とする構成は前述の実施例１と同じであり、異なる部分は筒型ケースの軸７側を半円形に拡張ししている。
この実施例によると、前記ホルダー４１を使用せずに卓上に置いたまま片手で操作できるものである。
またこの構成によると、取り出し口２をケース円弧部の中央に配置しているので、ＰＴＰ包装体３１から押し出された薬剤が不用意に転がり出ることを防止するためにケース体の内部に円弧壁１０を設けている。
【符号の説明】
【００１７】  １：ケース体          ２：取り出し口    ３：上盤            ４：落し口
５：テーパー面        ６：段部          ７：軸Ａ            ８：えぐり部
９：係止具          １０：円弧壁
１１：押具Ａ          １２：斜辺部Ａ    １３：斜辺部Ｂ      １４：押圧部Ａ
１５：可動体          １６：押具Ｃ      １７：斜辺部Ｃ      １８：押圧部Ｃ
１９：軸Ｃ
２１：案内具          ２２：定置部      ２３：隙間          ２４：Ｖ字カット
３１：ＰＴＰ包装体    ３２：隆起部      ３３：樹脂シート
３４：アルミニュウム箔                  ３５：カプセル錠    ３６：錠剤
４１：ホルダー        ４２：基盤        ４３：受け具        ４４：受け具
【図１】
2014171847.tif 000003
【図２】
2014171847.tif 000004
【図３】
2014171847.tif 000005
【図４】
2014171847.tif 000006
【図５】
2014171847.tif 000007
【図６】
2014171847.tif 000008
【図７】
2014171847.tif 000009
【図８】
2014171847.tif 000010
【図９】
2014171847.tif 000011
【図１０】
2014171847.tif 000012
【図１１】
2014171847.tif 000013
【図１２】
2014171847.tif 000014
【図１３】
2014171847.tif 000015
【図１４】
2014171847.tif 000016